(57)【要約】【課題】液体噴出器の容器の口部に対するロックを確実にして悪戯の防止を図るとともに内容部の補充を行うに当たっては治具等を使うことなく簡単に取り付け、取り外す。【解決手段】容器の口部に装着されるキャップと、このキャップに保持され押圧操作を繰り返して容器内の液体を吸引、加圧して外界に噴出させるポンプ機構を備えた噴出器において、前記キャップを、容器の口部に直接締めつけられて容器内を密閉する内キャップと、この内キャップとともに回転可能でかつ該内キャップの上下に沿うスライドを可能とする環状体からなるものとし、前記環状体と容器の口部との相互間に、内キャップの下端に向う環状体のスライドにて容器の口部に係合させて内キャップの回転を阻止し、内キャップの上端に向かう環状体のスライドにて容器の口部との係合を解除してキャップの取り付け、取り外しを可能とする係合手段を設ける。【選択図】        図１
2004344823.tif 000002
【特許請求の範囲】
【請求項１】
容器の口部に装着されるキャップと、このキャップに保持され押圧操作を繰り返して容器内の液体を吸引、加圧して外界に噴出させるポンプ機構を備えた噴出器であって、
前記キャップは、容器の口部に直接締めつけられて容器内を密閉する内キャップと、この内キャップとともに回転可能でかつ該内キャップの上下に沿うスライドを可能とする環状体からなり、
前記環状体と容器の口部との相互間に、内キャップの下端に向う環状体のスライドにて容器の口部に係合させて内キャップの回転を阻止し、内キャップの上端に向かう環状体のスライドにて容器の口部との係合を解除してキャップの取り付け、取り外しを可能とする係合手段を設けことを特徴とする液体噴出器。
【請求項２】
係合手段が容器の口部の外周面に設けられた少なくとも１つの縦溝又は縦リブと環状体の内壁面に設けられ該縦溝又は縦リブと係合する縦リブ又は縦溝からなる請求項１記載の液体噴出器。
【請求項３】
容器の口部に装着されるキャップと、このキャップに保持され押圧操作を繰り返して容器内の液体を吸引、加圧して外界に噴出させるポンプ機構を備えた噴出器であって、
前記キャップは、容器の口部に直接締めつけられて容器内を密閉する内キャップと、内外二重の壁面にて形成された溝部を有し内キャップの上下に沿うスライドにて該内キャップの下端域の格納と抜き出しを可能とする環状体からなり、
前記環状体と容器の口部の相互間に、環状体のスライド状況にかかわりなく該環状体を容器の口部に回転不能に係合させるとともに内キャップの下端域の抜き出し状態においてのみ内キャップを回転可能に保持する第１の係合手段を設け、
前記環状体と内キャップの相互間に、内キャップの下端域を格納した状態で環状体の内壁面を内キャップに係合させて該内キャップの回転を阻止する第２の係合手段を設けたことを特徴とする液体噴出器。
【請求項４】
第１及び第２の係合手段が、縦溝とこの縦溝に係合する縦リブからなる請求項３記載の液体噴出器。
【発明の詳細な説明】
【０００１】
【発明の属する技術分野】
本発明は、容器の口部にねじ止め保持され押圧ヘッドのプライミングによって容器内に充填された液体を適量取り出すのに適した液体噴出器に関するものであり、とくに、該噴出器の容器の口部に対するロックを確実に行うことにより、内容物の入れ換えや抜き取り等の悪戯を未然に防止しようとするものである。
【０００２】
【従来の技術】
シャンプーやリンス、整髪剤等を充填した据え置きタイプの大型容器は、使用の度に内容物を適量取り出すことができるポンプタイプの噴出器が備えられている。
【０００３】
この種の噴出器はポンプ機構を保持するとともに容器の口部を確実に密閉でき、かつ、内容物を補充するに際してはそれを簡単に取り外すことができるようにねじ止め形式のキャップが備えられた構造になっているのが普通である。
【０００４】
ところで、このような噴出器は、簡単に取り外すことができるが故に、例えば店頭に陳列した商品やホテル等の洗面所等に据え置かれた容器に対しては内容物が入れ換えられたり、抜き取られる悪戯が起きることが懸念されており、この点に関する改善が求められていた。
【０００５】
このような問題に対処した先行技術としては、噴出器とは別個の治具を用意しておき、内容物を補充するに当たっては該治具を使用して噴出器を取り外す構造のものが提案されている（例えば、特許文献１、特許文献２参照）。
【０００６】
【特許文献１】
実公平７−１８６１１号公報
【０００７】
【特許文献２】
２００２−２２５９０６号公報
【０００８】
しかしながら、上記のような液体噴出器は、それを取り外すための治具を別途用意しておく必要があることから、取り付け、取り外し作業に手間がかかるうえ、治具を紛失してしまった場合には、液体の補充が不可能になってしまうおそれがあった。
【０００９】
【発明が解決しようとする課題】
本発明の課題は、液体噴出器の容器の口部に対するロックを確実にして悪戯の防止を図るとともに、内容物を補充するに際しては治具等を使用することなしに簡単な操作でもって取り外すことができる新規な噴出器を提案するところにある。
【００１０】
【課題を解決するための手段】
本発明は、容器の口部に装着されるキャップと、このキャップに保持され押圧操作を繰り返して容器内の液体を吸引、加圧して外界に噴出させるポンプ機構を備えた噴出器であって、
前記キャップは、容器の口部に直接締めつけられて容器内を密閉する内キャップと、この内キャップとともに回転可能でかつ該内キャップの上下に沿うスライドを可能とする環状体からなり、
前記環状体と容器の口部との相互間に、内キャップの下端に向う環状体のスライドにて容器の口部に係合させて内キャップの回転を阻止し、内キャップの上端に向かう環状体のスライドにて容器の口部との係合を解除してキャップの取り付け、取り外しを可能とする係合手段を設けことを特徴とする液体噴出器である。
【００１１】
上記の構成になる液体噴出器において係合手段は容器の口部の外周面に設けられた少なくとも１つの縦溝又は縦リブと環状体の内壁面に設けられ該縦溝又は縦リブと係合する縦リブ又は縦溝からなるものが好ましい。
【００１２】
また、本発明は容器の口部に装着されるキャップと、このキャップに保持され押圧操作を繰り返して容器内の液体を吸引、加圧して外界に噴出させるポンプ機構を備えた噴出器であって、
前記キャップは、容器の口部に直接締めつけられて容器内を密閉する内キャップと、内外二重の壁面にて形成された溝部を有し内キャップの上下に沿うスライドにて該内キャップの下端域の格納と抜き出しを可能とする環状体からなり、
前記環状体と容器の口部の相互間に、環状体のスライド状況にかかわりなく該環状体を容器の口部に回転不能に係合させるとともに内キャップの下端域の抜き出し状態においてのみ内キャップを回転可能に保持する第１の係合手段を設け、
前記環状体と内キャップの相互間に、内キャップの下端域を格納した状態で環状体の内壁面を内キャップに係合させて該内キャップの回転を阻止する第２の係合手段を設けたことを特徴とする液体噴出器であり、第１及び第２の係合手段は、縦溝とこの縦溝に係合する縦リブからなるものが有利に適合する。
【００１３】
【発明の実施の形態】
以下、図面を参照して本発明をより具体的に説明する。
【００１４】
図１（ａ）〜（ｃ）は本発明に従う液体噴出器の実施の形態を示した図であり、図における１は内容物を充填する容器、２は容器１の口部１ａにねじ止めによって固定保持される例で示したキャップ、３はキャップ２に保持されるポンプ機構であって、このポンプ機構３は押圧ヘッド３ａを繰返し押圧することで容器１内の液体を吸引、加圧してノズル３ｂより噴出させることができるようになっている。
【００１５】
上記キャップ２は、容器１の口部１ａに直接締めつけられて容器１内を密閉する内キャップ２ａと、この内キャップ２ａとともに回転可能でかつ該内キャップ２ａの上下に沿うスライドを可能とする環状体２ｂからなる。
【００１６】
４は内キャップ２ａと環状体２ｂを供回りさせる係合手段であり、この係合手段４は図１（ｂ）のＡ−Ａ断面に示すように何れか一方に設けた凹部４ａとこの凹部４ａに嵌合する凸部４ｂにて構成される。
【００１７】
５は環状体２ｂと容器の口部１ａとの相互間に設けられた係合手段である。この係合手段５は内キャップ２ａの下端に向かう環状体２ｂのスライドにて容器の口部１ａに係合させて内キャップ２ａの回転を阻止する一方、内キャップ２ａの上端に向かう環状体２ｂのスライドにて容器の口部１ａとの係合を解除してキャップ２の取り付け、取り外しができるようになっており、図１（ｃ）のＢ−Ｂ断面に示す如く、例えば、縦溝５ａと縦リブ５ｂにて構成することができる。
【００１８】
環状体２ｂを内キャップ２ａの下端に向けてスライドさせ上掲図１（ａ）に示すような状態にすると、環状体２ｂが内容器の口部１ａに係合手段５を介して係合することとなりキャップ２は締め込む方向はもちろん、緩める方向にも回転させることはできず、したがって噴出器の取り付け、取り外しはできないロック状態に維持される。
【００１９】
環状体２ｂを内キャップ２ａの上端にスライドさせて図２に示す状態にすると、環状体２ｂと容器の口部１ａとの係合が解除されることとなり、キャップ２は回転させることができるようになり噴出器の取り付け、取り外しが可能になる。
【００２０】
図３、図４は本発明に従う液体噴出器の他の実施の形態を示したものである。
【００２１】
図において６はキャップである。このキャップ６は容器の口部１ａに直接締めつけられて容器内を密閉する内キャップ６ａと内キャップ６ａの上下に沿うスライドを可能とする環状体６ｂからなっており、環状体６ｂは内外二重の壁面にて形成された溝部６ｂ１において内キャップ６ａの下端域を格納することができるようになっている。
【００２２】
また、７は第１の係合手段であって、この係合手段７は環状体６ｂのスライド状況にかかわりなく該環状体６ｂを容器の口部１ａに回転不能に係合させるととも内キャップ６ａの下端域を溝部６ｂ１から抜き出し状態においてのみ内キャップ６ａを回転可能とするもので、この係合手段７は縦溝とこの縦溝に嵌合する縦リブにて構成される。
【００２３】
８は第２の係合手段である。この係合手段８は内キャップ６ａの下端域を溝部６ｂ１に格納した状態で環状体６ｂの内壁面を内キャップ６ａに係合させて該内キャップ６ａの回転を阻止するものであって、この第２の係合手段８についても第１の係合手段７と同様に縦溝とこの縦溝に嵌合する縦リブにて構成される。そして９は環状体６ｂの上方へのスライド状態（ロック状態）を維持する小突起又は小突条である。
【００２４】
環状体６ｂを内キャップ６ａの下端に向けてスライドさせ第１の係合手段７にて容器の口部１ａと環状体６ｂとを係合させた図３のような状態（内キャップ６ａの下端域が溝部６ｂ１から抜き出された状態）では、第２の係合手段８による内キャップ６ａと環状体６ｂの係合が解除されており、内キャップ６ａを回転させてそれを締め込んだり緩めたりすることで噴出器の取り付け、取り外しが可能になる。
【００２５】
一方、図４に示すように内キャップ６ａを締め込んで容器を密閉させた後に環状体６ｂを内キャップ６ａの上端へ向けてスライドさせて内キャップ６ａの下端域を溝部６ｂ１に格納すると内キャップ６ａと環状体６ｂは第２の係合手段８にて係合されることとなり、この状態でキャップ６の回転は阻止され噴出器の取り付け、取り外しができないロック状態に維持される。
【００２６】
上掲図１、図３に示したところの噴出器は、何れのものも環状体６ｂを上下にスライドさせるだけでロックとその解除を行うことができるもので内容物の入れ換えや抜き取り等の悪戯を回避できるし噴出器の取り付け、取り外しを極めて簡単に行い得る。なお、図３、図４に示した小突起（又は小突条）９に代えて内キャップ６ａと環状体６ｂの相対するスライド面に係合、離脱可能なアンダーカット部を設けることもでき、このような小突起（又は小突条）９あるいはアンダーカット部は上掲図１に示した構造のものにおいても勿論適用できる。
【００２７】
【発明の効果】
本発明によれば、サイズの大型化を招くような余計な部材を必要とせずに噴出器を容器の口部にロック状態で装着することができるため内容物の入れ換えや抜き取り等の悪戯を未然に防止することが可能であり安全性が高い。
【００２８】
また、余計な治具を必要とせずに簡便な操作のもとで噴出器の取り付け、取り外しができる。
【図面の簡単な説明】
【図１】（ａ）〜（ｃ）は本発明に従う液体噴出器の実施の形態を示した図である。
【図２】キャップの緩め方の要領を説明した図である。
【図３】本発明に従う液体噴出器の他の実施の形態を示した図である。
【図４】図３に示した噴出器のロック状態を示した図である。
【符号の説明】
１  容器
１ａ  口部
２  キャップ
２ａ  内キャップ
２ｂ  環状体
２ｂ１  上面壁部
３  ポンプ機構
３ａ  押圧ヘッド
３ｂ  ノズル
４  係合手段
４ａ  凹部
４ｂ  凸部
５  係合手段
５ａ  縦溝
５ｂ  縦リブ
６  キャップ
６ａ  内キャップ
６ｂ  環状体
６ｂ１  溝部
７  第１の係合手段
８  第２の係合手段
９  小突起（小突条）
【図１】
2004344823.tif 000003
【図２】
2004344823.tif 000004
【図３】
2004344823.tif 000005
【図４】
2004344823.tif 000006